(57)【要約】【課題】マイグレーションの発生や抵抗値の増大を抑制でき、導電回路の狭ピッチ化やコストの削減を図ることができる安価なヒートシールコネクタを提供する。【解決手段】絶縁フィルム層１の表面に導電回路２Ａを形成して複数の電気電子部品の導通接続に使用されるコネクタであり、導電回路２Ａを金属薄膜により形成するとともに、この導電回路２Ａの接続部に導電ペーストを印刷して接続端子５Ａを積層形成する。また、これら導電回路２Ａと接続端子５Ａのうち少なくとも接続端子５Ａに異方導電接着剤層６を積層形成する。絶縁フィルム層１に体積の小さい金属薄膜を積層して導電ライン３Ａを形成するので、例え高湿時や結露時に導電回路２Ａに電圧が印加しても、マイグレーションの発生することがなく、短絡事故やシステムの破壊を防止できる。【選択図】図１
2011238429.tif 000002
【特許請求の範囲】
【請求項１】
絶縁層の少なくとも表裏いずれかの面に導電回路を形成したヒートシールコネクタであって、
導電回路を金属薄膜により形成し、この導電回路の少なくとも接続部に導電ペーストを塗布して接続端子を積層形成し、これら導電回路と接続端子のうち少なくとも接続端子に異方導電接着剤層を積層したことを特徴とするヒートシールコネクタ。
【請求項２】
導電回路を、金属蒸着膜あるいは金属スパッタ膜により形成した請求項１記載のヒートシールコネクタ。
【請求項３】
導電回路を、金属薄膜のケミカルエッチングにより形成した請求項１記載のヒートシールコネクタ。
【請求項４】
導電回路を、レーザによる金属薄膜のドライエッチングにより形成した請求項１記載のヒートシールコネクタ。
【発明の詳細な説明】
【技術分野】
【０００１】
本発明は、液晶回路や配線板等からなる電気電子部品の電気的な接続に使用されるヒートシールコネクタに関するものである。
【背景技術】
【０００２】
従来のヒートシールコネクタは、図５に示すように、絶縁フィルム層１の表面に導電回路２がパターン形成され、この導電回路２に複数の接続端子５が接続形成されており、この複数の接続端子５に、配線板等の電子機器に電気的に接続する異方導電接着剤層６が積層形成されている（特許文献１、２、３、４参照）。
【０００３】
導電回路２は、複数の導電ライン３が所定の間隔で一列に配列形成されることにより形成されている。各導電ライン３は、絶縁フィルム層１の表面に銀粒子あるいはカーボン粒子を含有する導電ペーストが細長い線条に塗布されて乾燥硬化することで形成される。また、各接続端子５は、絶縁フィルム層１の表面に上記導電ペーストと同様の導電ペーストが細い線条に塗布されて乾燥硬化し、各導電ライン３の端部に揃えて一体化されることで形成される。
【先行技術文献】
【特許文献】
【０００４】
【特許文献１】特開２００６−２３６９４４号公報
【特許文献２】特開２００５−１４９８９８号公報
【特許文献３】特開２００６−３１８６３８号公報
【特許文献４】特開平７−１２２３２０号公報
【発明の概要】
【発明が解決しようとする課題】
【０００５】
従来におけるヒートシールコネクタは、以上のように絶縁フィルム層１の表面に銀粒子含有の導電ペーストが塗布されることにより、導電回路２の導電ライン３や接続端子５が形成されるので、例えば高湿時や結露時に導電回路２に電圧が印加されると、導電ライン３の銀イオンが溶出して非金属媒体の内部等を横切って移動する現象、すなわちマイグレーション（エレクトロマイグレーションともいう）が生じ、短絡事故やシステムの破壊を招くおそれがある。
【０００６】
係るマイグレーションの発生を防止するには、導電ライン３や接続端子５を金属薄膜により形成すれば良いが、接続端子５を金属薄膜で単に形成すると、薄い接続端子５に異方導電接着剤層６の導電粒子が圧接して穴が開き、電子機器の電気的な接続に支障を来たしたり、接続信頼性の低下を招くことがある。また、導電ペーストに銀粒子が含有される場合には、高価なので、コストの削減を図ることができず、導電ペーストにカーボン粒子が含有される場合には、抵抗値が増大したり、導電ライン３の狭ピッチ化を図ることができないという問題が生じる。
【０００７】
本発明は上記に鑑みなされたもので、マイグレーションの発生や抵抗値の増大を抑制することができ、導電回路の狭ピッチ化やコストの削減を図ることができる安価なヒートシールコネクタを提供することを目的としている。
【課題を解決するための手段】
【０００８】
本発明においては上記課題を解決するため、絶縁層の少なくとも表裏いずれかの面に導電回路を形成したものであって、
導電回路を金属薄膜により形成し、この導電回路の少なくとも接続部に導電ペーストを塗布して接続端子を積層形成し、これら導電回路と接続端子のうち少なくとも接続端子に異方導電接着剤層を積層したことを特徴としている。
【０００９】
なお、絶縁層には、導電回路の接続部以外の領域を保護する絶縁性のレジスト層を積層形成することができる。
また、導電回路を、金属蒸着膜あるいは金属スパッタ膜により形成することができる。
また、導電回路を、金属薄膜のケミカルエッチングにより形成することが可能である。
また、導電回路を、レーザによる金属薄膜のドライエッチングにより形成することも可能である。
【００１０】
また、ヒートシールコネクタを製造する場合には、絶縁層に金属薄膜を積層して導電回路をパターニングし、この導電回路の複数の導電ラインの端部に導電ペーストを塗布して乾燥硬化させることにより接続端子を形成し、導電ラインの端部以外の領域にレジスト層を設け、その後、接続端子上に異方導電接着剤を塗布して乾燥硬化させることにより、異方導電接着剤層を形成すれば良い。
【００１１】
ここで、特許請求の範囲における絶縁層は、電気的な絶縁性を確保できるのであれば、シートやフィルムを特に問うものではない。また、導電回路は、絶縁層の表面、裏面、表裏面に形成することができる。異方導電接着剤層は、接続端子だけではなく、導電回路の一部と接続端子とにそれぞれ積層することもできる。さらに、本発明に係るヒートシールコネクタは、少なくとも液晶回路や配線板等からなる電気電子部品の電気的な接続に使用することができる。
【００１２】
本発明によれば、絶縁層に体積の小さい金属薄膜を積層して導電回路を形成するので、例え高湿時や結露時等に導電回路に電圧が印加しても、マイグレーションの発生することが少ない。また、接続端子を金属薄膜で形成するのではなく、導電性の導電ペーストにより所定の厚さに形成するので、接続端子に異方導電接着剤層の導電粒子が強く接触して穴等が開き、電気的な接続に支障を来たすことが少ない。
【発明の効果】
【００１３】
本発明によれば、マイグレーションの発生や抵抗値の増大を抑制することができ、しかも、導電回路の狭ピッチ化やコストの削減を図ることができるという効果がある。
【００１４】
また、導電回路を金属蒸着膜により形成すれば、導電回路を比較的安価に得ることができる。また、導電回路を金属スパッタ膜とすれば、均質な薄さの導電回路を容易に得ることができる。
また、導電回路を、金属薄膜のケミカルエッチングにより形成すれば、導電回路に歪みが生じるのを抑制したり、簡易な大量生産が期待できる。
さらに、導電回路を、レーザによる金属薄膜のドライエッチングにより形成すれば、導電回路を微細に加工することができる。
【図面の簡単な説明】
【００１５】
【図１】本発明に係るヒートシールコネクタの実施形態を模式的に示す断面説明図である。
【図２】本発明に係るヒートシールコネクタの実施形態における絶縁層、導電回路、接続端子を模式的に示す平面説明図である。
【図３】本発明に係るヒートシールコネクタの実施形態における導電回路と接続端子とを模式的に示す部分説明図である。
【図４】本発明に係るヒートシールコネクタの実施形態における効果を説明するための部分説明図である。
【図５】従来のヒートシールコネクタを模式的に示す断面説明図である。
【発明を実施するための形態】
【００１６】
以下、図面を参照して本発明の実施形態を説明すると、本実施形態におけるヒートシールコネクタは、図１ないし図４に示すように、薄い絶縁フィルム層１に導電回路２Ａを形成して複数の電気電子部品の導通接続に使用されるコネクタであり、導電回路２Ａを１μｍ以下の厚さを有する導電性の金属薄膜により形成し、この導電回路２Ａの接続部に導電ペーストを印刷して複数の接続端子５Ａを積層形成し、これら導電回路２Ａの接続部と複数の接続端子５Ａのうち少なくとも複数の接続端子５Ａに異方導電接着剤層６を積層形成するようにしている。
【００１７】
絶縁フィルム層１は、特に限定されるものではないが、例えば強靭性、寸法安定性、絶縁性等に優れるポリエチレンテレフタレートやポリエステルフィルム等からなる所定の薄いフィルムを使用して可撓性を有する平面矩形に形成され、１０〜８０μｍ、好ましくは２０〜５０μｍの厚さとされる。
【００１８】
導電回路２Ａは、絶縁フィルム層１の表面に、引き回し用の複数の導電ライン３Ａが所定の間隔で横一列に配列形成されることにより形成され、複数の導電ライン３Ａの両端部以外の領域に絶縁性を有する平面矩形のレジスト層４が保護層として覆着される。各導電ライン３Ａは、絶縁フィルム層１の表面長手方向に、マイグレーションの発生防止が期待できる厚さ１００ｎｍ程度の薄い金属薄膜が直線的な細長い線条に積層して加工されることで形成される。この導電ライン３Ａは、図３や図４に示すように、必要に応じて太く形成されたり、細くされ、両端部、換言すれば、接続部も選択的に細く形成される。
【００１９】
金属薄膜は、具体的には安価なアルミニウム、銅等からなる金属蒸着膜あるいは金属スパッタ膜の積層により形成される。また、レジスト層４は、例えばポリメチルメタクリレート等の樹脂組成物がスクリーン印刷されることにより積層形成される。
【００２０】
各接続端子５Ａは、導電回路２Ａの導電ライン３Ａの両端部、換言すれば、接続部上に銀粒子を含有した導電ペーストがそれぞれ重ねてスクリーン印刷され、乾燥硬化することで所定の肉厚に積層形成される。
【００２１】
異方導電接着剤層６は、導電粒子を含有した異方導電接着剤が絶縁フィルム層１の表面端部における複数の接続端子５Ａ上にスクリーン印刷されるとともに、乾燥硬化することで積層形成され、加熱と加圧により接着性を発現して電気電子部品の接続端子に電気的に接着する。
【００２２】
この異方導電接着剤層６は、加熱と加圧により接着性を発現するタイプであれば、熱可塑性や熱硬化性のいずれのタイプでも良く、硬化剤、加硫剤、劣化防止剤、粘着付与剤等が必要に応じて添加される。また、異方導電接着剤の導電粒子は、特に限定されるものではないが、例えば金、銀、銅、カーボン粒子、カーボン粒子に金属を被覆した粒子等があげられる。
【００２３】
上記構成において、ヒートシールコネクタを製造する場合には、先ず、絶縁フィルム層１用に用意したフィルムの表面に金属薄膜を積層して導電回路２Ａをパターニングし、この導電回路２Ａの複数の導電ライン３Ａの両端部に導電ペーストをそれぞれスクリーン印刷して乾燥硬化させることにより接続端子５Ａを所定の厚さに積層形成し、導電ライン３Ａの両端部以外の領域に樹脂組成物をスクリーン印刷して乾燥硬化させることによりレジスト層４を覆着する。
【００２４】
金属薄膜を導電回路２Ａにパターニングする手法としては、均質な薄膜を形成することができ、しかも、組成の制御が容易なスパッタリング法等があるが、何らこれに限定されるものではない。例えば、微細加工に好適なレーザによるドライエッチングで金属蒸着膜を導電回路２Ａにパターニングしても良い。この場合のレーザとしては、低歪みで良質な切断面を得ることのできるＹＡＧレーザ、高出力で高い熱伝導率のＹＶＯ４レーザ等が該当する。
【００２５】
接続端子５Ａとレジスト層４とを配設したら、フィルムの表面端部における複数の接続端子５Ａ上に異方導電接着剤をスクリーン印刷して乾燥硬化させ、レジスト層４と略同じ高さの異方導電接着剤層６を積層形成した後、フィルムを所定の大きさに型抜きして絶縁フィルム層１を形成すれば、ヒートシールコネクタを製造することができる。
【００２６】
上記構成によれば、絶縁フィルム層１の表面に導電ペーストを塗布して導電回路２Ａの導電ライン３Ａを形成するのではなく、体積の小さい金属薄膜を積層して導電ライン３Ａを形成するので、例え高湿時や結露時に導電回路２Ａに電圧が印加しても、マイグレーションの発生することがなく、短絡事故やシステムの破壊を有効に防ぐことができる。また、導電回路２Ａの全体をレジスト層４と異方導電接着剤層６とにより完全に被覆してマイグレーションを防止する必要がないので、ヒートシールコネクタ自体の短絡検査等、電気的な検査が実に容易になる。
【００２７】
また、複数の導電ライン３Ａ間のピッチを拡大してマイグレーションを防止する必要もないので、複数の導電ライン３Ａ間のピッチを狭めたり、各導電ライン３Ａの幅を狭めることができる。また、導電回路２Ａを、１μｍ以下の厚さを有する金属薄膜により形成するので、例え金属薄膜をスパッタリング法やレーザ加工により導電回路２Ａに形成し、接続部を除く複数の導電ライン３Ａのパターン間を５μｍ以上としても、信頼性の高い絶縁性を確保することができる（図３参照）。
【００２８】
また、金属薄膜により導電ライン３Ａを形成するので、クラックの発生を防止しつつ導電ライン３Ａの折り曲げ性を著しく向上させることが可能になる。また、接続端子５Ａを金属薄膜で形成するのではなく、銀粒子含有の導電ペーストにより所定の厚さに積層形成するので、接続端子５Ａに異方導電接着剤層６の導電粒子が圧接して穴が開き、電子機器の電気的な導通接続に支障を来たすことがない。
【００２９】
また、導電ペースト製の接続端子５Ａに異方導電接着剤層６の導電粒子が食い込み、楔効果を発揮するので、接続信頼性の低下防止が大いに期待できる。また、銀粒子含有の導電ペーストの使用量が従来よりも大幅に低減するので、コストの削減を図ることが可能になる。また、導電ペーストに抵抗値の増大を招くカーボン粒子を含有しないので、低抵抗のヒートシールコネクタを得ることができ、複数の導電ライン３Ａの狭ピッチ化を図ることも可能になる。
【００３０】
さらに、電子回路には、信号線等の電流を殆んど流すことのない回路と、電源やグラウンドといった電流をある程度流す回路とがあるので、これらに導電回路を対応させなくてはならない場合がある。しかしながら、従来の導電ペーストによる導電回路２では対応させることが困難であり、電流値の大きい部分では二回路が必要であった。これに対し、上記構成によれば、金属薄膜製の導電ライン３Ａを使用するので、図４に示すように導電ライン３Ａの太さのみを拡縮変更すれば、二回路を要することなく、容易に対応することが可能になる。
【００３１】
なお、上記実施形態では金属薄膜をスパッタリング法やレーザ加工によるドライエッチングで導電回路２Ａに形成したが、何らこれに限定されるものではない。例えば、多種多様な金属に対応するため、導電回路２Ａを金属薄膜のケミカルエッチングにより形成すれば、導電回路２Ａに歪みが生じるのを抑制したり、ヒートシールコネクタを簡単に大量生産することができる。
【符号の説明】
【００３２】
１      絶縁フィルム層（絶縁層）
２      導電回路
２Ａ    導電回路
３      導電ライン
３Ａ    導電ライン
５      接続端子
５Ａ    接続端子
６      異方導電接着剤層
【図１】
2011238429.tif 000003
【図２】
2011238429.tif 000004
【図３】
2011238429.tif 000005
【図４】
2011238429.tif 000006
【図５】
2011238429.tif 000007